(57)【要約】【課題】  法面、自然傾斜地等といった従来緑化が困難だった箇所をも、極めて簡便に緑化しつつ、表層の剥離等を有効に防止する緑化工法を提供する。【解決手段】  本ラピソイル工法（及びこれによるコンクリート構造物１）は、基盤２の傾斜面２ａを緑化するためのものである。作業者は、先ず、基盤２の傾斜面２ａにラピリコンクリートを吹き付けることにより、傾斜面２ａ上にラピリコンクリート層１１を形成し、次に、作業者は、このラピリコンクリート層１１の表面の洗出しを行う。この洗出しの後に十分な養生を行い、続いて、作業者は、ラピリコンクリート層１１の表面に、種子を含んだ厚層基材を吹き付けて、厚層基材層１２を形成する。この厚層基材層１２中の種子が発芽、生育することにより、傾斜面２ａが緑化される。【選択図】  図１
2010057457.tif 000002
【特許請求の範囲】
【請求項１】
基盤を緑化する緑化工法であって、
前記基盤にラピリコンクリートを吹き付け、
該ラピリコンクリートの表面の洗出しを行い、
該洗出しの後、該ラピリコンクリートの表面に、種子を含んだ厚層基材を吹き付けることを特徴とする緑化工法。
【請求項２】
前記ラピリコンクリートの前記吹付けが行われた直後の該ラピリコンクリートの表面に、遅延剤を散布することを特徴とする請求項１に記載の緑化工法。
【請求項３】
前記厚層基材に代えて、種子を含んだ団粒土が用いられることを特徴とする請求項１又は請求項２に記載の緑化工法。
【請求項４】
基盤に設置されるコンクリート構造物であって、
前記基盤に吹き付けられたラピリコンクリートと、
該ラピリコンクリートの該吹付けが行われ該ラピリコンクリートの表面の洗出しが行われた後に、種子を含んだ状態で、該ラピリコンクリートに吹き付けられた厚層基材とを備えたことを特徴とするコンクリート構造物。
【請求項５】
前記厚層基材に代えて、前記ラピリコンクリートの前記吹付けが行われ該ラピリコンクリートの表面の洗出しが行われた後に、種子を含んだ状態で、該ラピリコンクリートに吹き付けられた団粒土を備えたことを特徴とする請求項４に記載のコンクリート構造物。
【発明の詳細な説明】
【技術分野】
【０００１】
本発明は、法面、自然傾斜地、建物の壁面若しくは屋上等の基盤を緑化する緑化工法、及び、このような緑化工法により施工されるコンクリート構造物に関する。
【背景技術】
【０００２】
従来から知られた擁壁、法面等の緑化を行う手法の１つに、ラピフォームを用いたものが挙げられる（特許文献１参照）。より具体的には、擁壁に設置されるこのラピフォームは、細粒状のラピリ（火山礫）と、粗粒状のラピリとを、それぞれ、擁壁表面に接した内側の層と、その内側の層に重ねられた外側の層とに含んだ二層構造となっている。
【０００３】
このラピフォームを既存の擁壁の表面に設置する際、先ず、粗粒ラピリを、型枠の大きさに合わせた紙の一方の面に付着させ、この紙のその付着面の裏側になる面を、型枠の内側に張り付ける。そうして、この型枠を擁壁の表面から所定間隔だけ離した位置に組み付け、この型枠の組み付け後に、紙が内側に張り付いた型枠と擁壁表面との間に、セメント及び細粒ラピリを含んだラピリエアモルタルを打設する。ラピリエアモルタルの硬化後に、型枠を解体してから紙を剥がすと、この紙に付着させていた粗粒ラピリが、ラピリエアモルタルの表面に積層されるわけである。
【０００４】
この粗粒ラピリ層に、トールフェスクなどの植物の種子を擦り込むことによって、擁壁を緑化することができる。そして、これら擁壁と同様にして、法面や自然傾斜地に、ラピフォームを設置することが可能である。
【０００５】
【特許文献１】特開２００３−１１９０６１号公報（図２、段落００３８，００３９）
【発明の開示】
【発明が解決しようとする課題】
【０００６】
しかしながら、上述した従来の緑化工法では、(1)粗粒ラピリの紙への付着、(2)この紙の型枠への張付け、(3)型枠の配置及び固定、(4)ラピリエアモルタルの打設、及び、(5)ラピリエアモルタルの表面からの紙の剥ぎ取り等、そして、(6)その後の粗粒ラピリ層への種子の擦込みといった何工程もからなる作業を行う必要があった。また、種子は、薄めの粗粒ラピリ層に擦り込まれていたため、植物の成長に十分な水分、肥料が行き渡らなかったり、植物の成長に伴いその表層が剥離したりする恐れがあった。
【０００７】
本発明の主な目的は、このような課題を解決することができる緑化工法を提供することである。
【課題を解決するための手段】
【０００８】
請求項１に係る緑化工法は、基盤を緑化する緑化工法であって、前記基盤にラピリコンクリートを吹き付け、該ラピリコンクリートの表面の洗出しを行い、該洗出しの後、該ラピリコンクリートの表面に、種子を含んだ厚層基材を吹き付けることを特徴とする。
請求項２に係る緑化工法は、請求項１に係る緑化工法において、前記ラピリコンクリートの前記吹付けが行われた直後の該ラピリコンクリートの表面に、遅延剤を散布することを特徴とする。
請求項３に係る緑化工法は、請求項１又は請求項２に係る緑化工法において、前記厚層基材に代えて、種子を含んだ団粒土が用いられることを特徴とする。
請求項４に係るコンクリート構造物は、基盤に設置されるコンクリート構造物であって、
前記基盤に吹き付けられたラピリコンクリートと、該ラピリコンクリートの該吹付けが行われ該ラピリコンクリートの表面の洗出しが行われた後に、種子を含んだ状態で、該ラピリコンクリートに吹き付けられた厚層基材とを備えたことを特徴する。
請求項５に係るコンクリート構造物は、請求項４に係るコンクリート構造物において、前記厚層基材に代えて、前記ラピリコンクリートの前記吹付けが行われ該ラピリコンクリートの表面の洗出しが行われた後に、種子を含んだ状態で、該ラピリコンクリートに吹き付けられた団粒土を備えたことを特徴する。
【発明の効果】
【０００９】
本発明の緑化工法によると、例えば法面、自然傾斜地等といった従来緑化が困難だった箇所をも、従来に比較して極めて簡便に緑化することができる。また、ラピリコンクリートの洗出し表面には凹凸があり、この凹凸によって、厚層基材が強固にラピリコンクリートの表面に固着し、表層の剥離等が防がれている。
ラピリは１〜５０μサイズの孔が７０％と多孔質であり、植物の毛細根の太さが１μであることから容易に植物が生育できる基盤となる。
また、ラピリコンクリートは普通コンクリートと比較すると断熱性能が４０〜６０％程度であり、保水機能もありこれに覆われることによって既存のモルタル吹き付け面の保護が可能になるため従来施工されたモルタル吹き付け部分や擁壁の緑化ができる。
【発明を実施するための最良の形態】
【００１０】
以下、本発明に係る実施の形態を、図面を参照しつつ説明する。なお、図面には、発明の構成又は効果を判り易く表すこと等を目的として、模式的に誇張、省略等された部分が含まれる。
（最良の実施の形態）
本発明の緑化工法に係る最良の実施の形態であるラピソイル工法につき、図１〜図５を用いて説明する。図１（ａ）、（ｂ）に示すように、本ラピソイル工法により施工されるコンクリート構造物１は、基盤２の傾斜面２ａに設置されるもので、ラピリコンクリート層１１と、厚層基材層１２とを備えている。基盤２は地山の岩盤であり、この基盤２がコンクリート構造物１により緑化されているのである。ここでは、傾斜面２ａの法勾配は1:0.4となっている。
【００１１】
ａ．先ず、このコンクリート構造物1の構成につき、より詳細に説明する。コンクリート構造物1のラピリコンクリート層１１は、基盤２の傾斜面２ａにラピリコンクリートを吹き付けることにより傾斜面２ａ上に形成されるもので、その吹付け厚さは、3cm前後としてよい。このラピリコンクリートは、例えば、(1)セメント 368kg、(2)粗骨材としてのラピリ（粒径 6〜13mm） 261kg、(3)細骨材としての砂 1254kg、(4)水セメント比50％といった配合を標準にする。
配合における範囲は（1）セメント250〜400kg（２）粗骨材としてのラピリ200〜360kg
（3）細骨材としての砂700〜1500kg（4）水セメント比30〜60％とする。さらに、状況に応じて減水剤、界面活性剤、その他の混和剤若しくは混和材を混入しても良い。
【００１２】
ラピリコンクリートの吹付けが行われた後、その表面の洗出しが行われる。厚層基材層１２は、その洗出しの後に、ラピリコンクリート層１１に積層させるように、厚層基材をラピリコンクリート層１１の表面に吹き付けることにより形成される。この厚層基材層１２も、上記ラピリコンクリート層１１と同様に、3cm前後の厚さとしてよい。厚層基材は、吹付面積 100m2当たり、例えば、(1)種子として、トールフェスク 1.15kg、クリーピングレッドフェスク 0.25kg、オーチャードグラス 0.39kg、(2)生育基盤材として、バーク堆肥 3900l、ラピリ（粒径2.5mm以下） 3900l、(3)安定剤（侵食防止剤） 97.5kg、(4)肥料 39.1kgといった配合にする。
但し種子は木本類も含めていろいろな配合が可能である。
【００１３】
ｂ．続いて、図２〜図４により、ラピソイル工法の各工程をより具体的に説明する。図２に示す各工程Ｐ１〜Ｐ４の作業を順に行うことによって、コンクリート構造物１が設けられ、このコンクリート構造物１の厚層基材層１２中の種子が発芽、生育することにより基盤２の傾斜面２ａが緑化される。
ラピソイル工法によるコンクリート構造物１の施工に先立って、基盤２の傾斜面２ａが清掃されている。即ち、傾斜面２ａのゴミ、浮き石、浮き土、木の根、雑草等が除去され、崩壊箇所などの著しい凹凸が整形される。傾斜面２ａの清掃の後、先ず、同図２の工程Ｐ１において、上述したような配合のラピリコンクリートが、基盤２に吹き付けられる（図３（ａ））。即ち、作業者は、従来から用いられている通常の吹付機等を用いて、傾斜面２ａの上方から下方へとラピリコンクリートの吹付けを行っていく。その最下まで達すると、ラピリコンクリートの吹付け部分１１ａに隣接する領域の上方から下方へと吹付けが続けられ、これらが繰り返されて、施工対象とする領域の全面へのラピリコンクリートの吹付けが完了する。
【００１４】
工程２において、上記工程Ｐ１でのラピリコンクリートの吹付けの直後に、その吹付け部分１１ａに、遅延剤、ここでは、特に超遅延剤が散布される（図３（ｂ））。この図３（ｂ）では、一の作業者が、ラピリコンクリートを吹き付けていき、この直後に、他の作業者が、その吹付け部分１１ａに隣接する領域から、吹付け部分１１ａに対し遅延剤を散布している。次の工程３では、この吹付け部分１１ａのラピリコンクリートが完全に硬化する前に、その表面の洗出しが行われていく（図４（ａ））。即ち、作業者は、ラピリコンクリートの表面のセメント分を、従来から用いられているエンジンポンプ等で生じさせた噴流水で洗い飛ばし、これにより、ラピリコンクリートの吹付け部分１１ａの全面でラピリを露出させるわけである（図４（ｂ））。先の工程２での超遅延剤の散布と、この工程３のラピリコンクリートの洗出しとによって、ラピリコンクリートの表面に、ラピリが均一に安定して露出するようになる。
【００１５】
この工程３の後にラピリコンクリートの養生を十分に行い、続く工程４で、こうして形成されたラピリコンクリート層１１の表面に、上述した配合の厚層基材を吹き付けて、厚層基材層１２を形成していく（図５（ａ））。つまり、作業者は、吹付機を用い、ラピリコンクリート層１１の上から、設計厚さを確保して、吹付けムラのないように凹凸のバランスに配慮しながら、植物が確実に発芽し生育していくよう丁寧に厚層基材を吹き付けていく。この厚層基材の吹付けにより厚層基材層１２が形成され（図５（ｂ））、コンクリート構造物１の施工作業は完了する。その後、厚層基材層１２中の種子が発芽、生育して傾斜面２ａが緑化されるわけである。
【００１６】
これらのように、ラピソイル工法では、ラピリコンクリート層１１及び厚層基材層１２が吹付けによって順に基盤２上に積層されていき、コンクリート構造物１が形成される。そのため、自然傾斜地等の緑化が困難だった箇所に極めて簡便に、コンクリート構造物１を設置して基盤２を緑化することが可能である。また、ラピリコンクリート層１１の洗出し表面には凹凸があり、この凹凸によって、厚層基材層１２が強固にラピリコンクリート層１１に固着している。例えば、寒冷地では、地山の凍結融解により、厚層基材が、下方へ滑り落ちたり、剥離したりすることがあるが、ラピリコンクリート層１１の洗出し表面の凹凸は、これら厚層基材の剥落等を防いでいるわけである。
【００１７】
さらに、発芽後の植物の根は、ラピリコンクリート層１１（及び厚層基材層１２）中のラピリに絡みつき食い込んでいくため、傾斜面２ａ上で全体の繋がりが形成され、これによって、コンクリート構造物１の基盤２への固着がより安定し、厚層基材が滑り落ちたり剥がれたりといったことがより強く防がれることになる。その傾斜面２ａ上の繋がりによって、降雨による浸食からも保護されている。
【００１８】
加えて、厚層基材層１２中のラピリ自体の保水性（吸水性）、通気性、保肥力によって、植物の生育が支えられ、植物の長期生育が可能になっている。また、通常、酸性雨にさらされる基盤２は、強酸性の土壌になっており、従来、法面におけるｐＨの調整は難しかった。本発明のコンクリート構造物１においては、ラピリ自体がアルカリ性を呈するため、ラピリコンクリート層１１によって、基盤２の酸性を有効に遮断することができる。つまり、植物の根が酸性で焼けるといったことが防がれるわけである。さらに、基盤２の土壌硬度（山中式土壌硬度計による硬度）が30mm以上であっても、本ラピソイル工法による舗装が可能である。
また、本緑化工法に係る構造物は、吸音効果も奏する。
【００１９】
（他の実施の形態等）
以上、具体的な実施の形態により本発明を説明したが、本発明は、上記実施の形態に限定されない。本発明は、その要旨を逸脱しない範囲で、上記実施の形態を変更して実施することができる。
ａ．  例えば、上記実施の形態でのラピリコンクリート層１１の吹付け厚さは、3cmとしたが、2〜5cm前後にすることも可能である。法勾配は、1:0.6〜1:1.5前後であってよい。
【００２０】
ｂ．上記実施の形態では、自然傾斜地を、緑化の対象にする基盤とした。道路、河川、ダム、砂防等のための法面又は擁壁、さらには、モルタル吹付け工法による施工箇所や、幾重にも段が形成された部分をも、緑化対象とすることができる。傾斜面の角度によっては、建物の壁面や屋上を緑化することも可能である。
【００２１】
ｃ．  上記実施の形態では、ラピリコンクリートの表面の洗出しの後、ラピリコンクリート層１１の表面に、厚層基材を吹き付けるものとした（図２の工程Ｐ４）が、この厚層基材に代えて、種子を含んだ団粒土を吹き付けるようにしてもよい。即ち、図６のように、上記実施の形態のラピソイル工法と同様に、工程Ｐ１で、ラピリコンクリートの吹付け、工程Ｐ２で、超遅延剤の散布、工程Ｐ３で、ラピリコンクリートの洗出しを順に行う。この後、工程Ｐ１４で、ラピリコンクリートの洗出し表面に、団粒土を吹き付けるのである。
このように、団粒土を吹き付ける場合にも、厚層基材を吹き付ける場合と同様に、(1)従来緑化が困難だった箇所をも、簡便に緑化できる、(2)ラピリコンクリートの洗出し表面によって、傾斜面の剥落や降雨による浸食等が防がれる、(3)基盤側の強酸性を有効に遮断して、保水性、通気性、保肥力により植物の長期生育を支えるといった効果がある。加えて、土が用いられるため、(4)草本類はもとより、木本類の生育にとって非常に好ましい。また、(5)団粒土に菌根菌を混合することによって、植物の生育はより良好になる。
【００２２】
ｄ．  図２の工程３のラピリコンクリートの洗出しの後に、一定期間をあけて、アルカリの発現が減少した時点で、工程４の厚層基材の吹付け（工程１４の団粒土の吹付け）を行うことが、種子の発芽及び発芽後の初期成育にとって好ましい。ただ、やむを得ない状況では、工程３の直後に、工程４（工程１４）を行うことも可能である。
ｅ．  本ラピソイル工法では、基本的に金網を使用しないが、法面に転石又は石礫などが点在していて、それらが将来に渡り崩落する恐れがある場合等、場合によっては、金網を用いることもできる。
【図面の簡単な説明】
【００２３】
【図１】本発明に係るコンクリート構造物を示す斜視図（ａ）、模式的断面図（ｂ）
【図２】ラピソイル工法における各工程の流れを示すフローチャート
【図３】ラピリコンクリートの吹付け（ａ）及び超遅延剤の散布（ｂ）を表す図
【図４】ラピリコンクリートの洗出し（ａ）及び洗出し後の状態（ｂ）を表す図
【図５】厚層基材の吹付け（ａ）及び吹付け後の状態（ｂ）を表す図
【図６】他の実施の形態に係るラピソイル工法の各工程の流れを示すフローチャート
【符号の説明】
【００２４】
１…………コンクリート構造物
２…………基盤
２ａ………傾斜面
１１………ラピリコンクリート層（ラピリコンクリート）
１１ａ……ラピリコンクリートの吹付け部分
１２………厚層基材層（厚層基材）
【図１】
2010057457.tif 000003
【図２】
2010057457.tif 000004
【図３】
2010057457.tif 000005
【図４】
2010057457.tif 000006
【図５】
2010057457.tif 000007
【図６】
2010057457.tif 000008